(57)【要約】  電子式遮断器（１）は、電路（２）を開閉する開閉接点（３）と、電路（２）に流れる電流を検出する電流検出部（６）と、開閉接点（３）を開離させる引き外し装置（４）と、開閉接点（３）を開離させる引き外し動作の特性を決定するパラメータの値を外部装置（５０）から受信する通信部（１０）と、パラメータの値を表示可能な表示部（１１）と、電流検出部（６）による検出電流およびパラメータの値に基づき、引き外し装置（４）に開閉接点（３）の開離を実行させると共に、表示部（１１）にパラメータの値を表示する制御部（２０）とを備える。
2019064453.tif 000002
【特許請求の範囲】
【請求項１】
電路を開閉する開閉接点と、
前記電路に流れる電流を検出する電流検出部と、
前記開閉接点を開離させる引き外し装置と、
前記開閉接点を開離させる引き外し動作の特性を決定するパラメータの値を外部装置から受信する通信部と、
前記パラメータの値を表示可能な表示部と、
前記電流検出部による検出電流および前記パラメータの値に基づき、前記引き外し装置に前記開閉接点の開離を実行させると共に、前記表示部に前記パラメータの値を表示する制御部と、を備える
ことを特徴とする電子式遮断器。
【請求項２】
前記電路の電流または電圧を用いて、前記表示部および前記制御部を駆動させる電源電圧を生成する電源部を備え、
前記表示部は、
前記電源部から前記電源電圧が供給されない状態で表示状態を維持可能である
ことを特徴とする請求項１に記載の電子式遮断器。
【請求項３】
前記制御部は、
前記電源電圧が閾値以下になったか否かを判定し、前記電源電圧が前記閾値以下になったと判定した場合に前記表示部に前記パラメータの値を表示する処理を行う
ことを特徴とする請求項２に記載の電子式遮断器。
【請求項４】
前記電源部は、
前記電路に電流が流れていない状態で、前記外部装置から供給される電圧に基づいて、前記電源電圧を生成する
ことを特徴とする請求項２または３に記載の電子式遮断器。
【請求項５】
前記制御部は、
前記開閉接点が開離状態であるか否かを判定し、前記開閉接点が開離状態であると判定した場合に、前記外部装置からの前記パラメータの値の変更を許可する
ことを特徴とする請求項１から４のいずれか一つに記載の電子式遮断器。
【請求項６】
前記制御部は、
前記開閉接点が開離状態ではないと判定した場合に、前記パラメータの値の変更不可を示す情報を前記表示部に表示する
ことを特徴とする請求項５に記載の電子式遮断器。
【発明の詳細な説明】
【技術分野】
【０００１】
本発明は、開閉接点を開離させる引き外し動作の特性である引き外し特性の調整が可能な電子式遮断器に関する。
【背景技術】
【０００２】
従来、引き外し特性の調整が可能な電子式遮断器は、引き外し特性を決定するパラメータの値である特性設定値の確認および調整が行うことができる構成を有している。例えば、特許文献１に記載の電子式遮断器では、特性パラメータの値を調整する可変抵抗スイッチが設けられており、可変抵抗スイッチを備えるノブの位置から特性設定値の確認が可能である。【０００３】
また、特許文献２に記載の電子式遮断器では、特性設定値の調整を行うキーパッドと、特性設定値を表示するディスプレイとを備えている。
【先行技術文献】
【特許文献】
【０００４】
【特許文献１】特開昭６２−６４２１５号公報
【特許文献２】特開平２−１１９０２６号公報
【発明の概要】
【発明が解決しようとする課題】
【０００５】
しかしながら、電子式遮断器の小型化が進んでおり、可変抵抗スイッチを設けるスペースの確保、またディスプレイとキーパッドとを共に設けるスペースの確保が困難になりつつあるという課題がある。【０００６】
また、特許文献２に記載の電子式遮断器では、ディスプレイとキーパッドとを含むユニットを取り外し可能であるが、かかるユニットを取り外した状態の電子式遮断器において特性設定値を確認することができない。【０００７】
本発明は、上記に鑑みてなされたものであって、可変抵抗スイッチおよびキーパッドといった設定部を配置するスペースを設けることなく引き外し特性の調整が可能で、かつ特性設定値を確認することができる電子式遮断器を得ることを目的とする。
【課題を解決するための手段】
【０００８】
上述した課題を解決し、目的を達成するために、本発明の電子式遮断器は、電路を開閉する開閉接点と、電路に流れる電流を検出する電流検出部と、開閉接点を開離させる引き外し装置と、開閉接点を開離させる引き外し動作の特性を決定するパラメータの値を外部装置から受信する通信部と、パラメータの値を表示可能な表示部と、電流検出部による検出電流およびパラメータの値に基づき、引き外し装置に開閉接点の開離を実行させると共に、表示部にパラメータの値を表示する制御部とを備える。
【発明の効果】
【０００９】
本発明によれば、可変抵抗スイッチおよびキーパッドといった設定部を配置するスペースを設けることなく引き外し特性の調整が可能で、かつ特性設定値を確認することができる、という効果を奏する。
【図面の簡単な説明】
【００１０】
【図１】実施の形態１にかかる電子式遮断器の構成例を示す図
【図２】実施の形態１にかかる記憶部に記憶される設定値テーブルの一例を示す図
【図３】実施の形態１にかかる特性設定値表示画面の一例を示す図
【図４】実施の形態１にかかる特性設定値変更画面の一例を示す図
【図５】実施の形態１にかかる更新確認画面の一例を示す図
【図６】実施の形態１にかかる更新後の特性設定値表示画面の一例を示す図
【図７】実施の形態１にかかる制御部の処理の一例を示すフローチャート
【図８】実施の形態１にかかる特性設定値の更新処理の一例を示すフローチャート
【図９】実施の形態１にかかる電子式遮断器の通信部、表示部、記憶部および制御部についてのハードウェア構成の一例を示す図
【図１０】実施の形態２にかかる電子式遮断器の構成例を示す図
【図１１】実施の形態２にかかる制御部の特性設定値の更新処理の一例を示すフローチャート
【図１２】実施の形態２にかかる制御部における電源電圧の低下時の処理の一例を示すフローチャート
【図１３】実施の形態２にかかるエラー画面の一例を示す図
【図１４】実施の形態３にかかる電子式遮断器の構成例を示す図
【図１５】実施の形態３にかかる制御部の特性設定値の更新処理の一例を示すフローチャート
【図１６】実施の形態３にかかる警告画面の一例を示す図
【図１７】実施の形態３にかかる警告画面の他の例を示す図
【図１８】実施の形態３にかかる特性設定値表示画面の他の例を示す図
【発明を実施するための形態】
【００１１】
以下に、本発明の実施の形態にかかる電子式遮断器を図面に基づいて詳細に説明する。なお、この実施の形態によりこの発明が限定されるものではない。
【００１２】
実施の形態１．
図１は、本発明の実施の形態１にかかる電子式遮断器の構成例を示す図である。図１に示すように、実施の形態１にかかる電子式遮断器１は、３相交流の電路２を開閉する開閉接点３と、開閉接点３を開離させる引き外し装置４と、電路２に１次側が挿入された変流器５と、電路２の電流を検出する電流検出部６と、変流器５の２次側出力から電源電圧Ｖｃ１を生成する電源部７と、交流電圧が電源から供給される不図示の電源側導体に接続される電源側接続端子８と、負荷に接続される不図示の負荷側導体に接続される負荷側接続端子９とを備える。
【００１３】
また、電子式遮断器１は、外部装置５０と通信する通信部１０と、開閉接点３を開離させる引き外し動作の特性である引き外し特性を決定するパラメータの値などを表示する表示部１１と、電子式遮断器１で用いられる情報を記憶する記憶部１２と、引き外し装置４および表示部１１を制御する制御部２０とを備える。
【００１４】
開閉接点３は、電路２を構成する３つの電路２１〜２３を各々開閉する開閉接点３１〜３３を有する。各開閉接点３１〜３３は、不図示の固定接点と不図示の可動接点とを有しており、各開閉接点３１〜３３において固定接点と可動接点とが接触することで、電源側接続端子８と負荷側接続端子９とが電気的に接続される。これにより、各電路２１〜２３に電流が流れて電子式遮断器１が通電状態になる。
【００１５】
また、各開閉接点３１〜３３において固定接点と可動接点とが離れることで開閉接点３の開離が行われて、電源側接続端子８と負荷側接続端子９とが電気的に切断される。これにより、各電路２１〜２３の電流が遮断されて電子式遮断器１が非通電状態になる。以下、固定接点と可動接点とが接触した状態を開閉接点３がオン状態または電子式遮断器１がオン状態であると記載し、固定接点と可動接点とが開離した状態を開閉接点３がオフ状態または電子式遮断器１がオフ状態であると記載する。
【００１６】
引き外し装置４は、制御部２０からの指令に基づき、接触状態にある固定接点と可動接点とを開離させることで、各電路２１〜２３を遮断して電子式遮断器１をオフ状態にする。電子式遮断器１は、可動接点を移動させる不図示の開閉機構を有しており、引き外し装置４は、開閉機構に作用することで、接触状態にある固定接点と可動接点とを開離させることができる。
【００１７】
変流器５は、電路２を構成する電路２１〜２３に各々挿入された変流器５１〜５３を有する。変流器５１〜５３は、電路２１〜２３に流れる電流に正比例する電流を２次側巻線から出力する。
【００１８】
電流検出部６は、変流器５１〜５３の２次側巻線から各々出力される電流の値を検出し、検出した電流の値を制御部２０へ通知する。電流検出部６によって検出される電流の値は、瞬時値、実効値または平均値である。
【００１９】
電源部７は、変流器５１〜５３の２次側巻線から各々出力される電流を用いて電源電圧Ｖｃ１を生成する。例えば、電源部７は、変流器５１〜５３の２次側巻線から各々出力される電流を整流後に合成してコンデンサに充電し、コンデンサの電圧を降圧または昇圧することで、電源電圧Ｖｃ１を生成することができる。電源部７は、通信部１０、表示部１１、記憶部１２および制御部２０へ電源電圧Ｖｃ１を供給する。なお、電源部７は、変流器５１〜５３の２次側巻線から各々出力される電流を用いて電源電圧Ｖｃ１を生成する構成であればよく、上述した構成に限定されない。
【００２０】
通信部１０は、周波数ホッピングスペクトラム拡散方式によって外部装置５０と通信する通信インタフェースである。通信部１０は、外部装置５０から送信される情報を受信し、受信した情報を制御部２０へ入力し、制御部２０から出力される情報を外部装置５０へ送信することができる。通信部１０の通信方式は、周波数ホッピングスペクトラム拡散方式に限定されず、直接スペクトラム拡散方式であってもよく、スペクトラム拡散方式以外の通信方式であってもよい。
【００２１】
ここで、電子式遮断器１との間で通信を行う外部装置５０について説明する。外部装置５０は、電源電圧Ｖｃ２を生成して出力する電源部５１と、電子式遮断器１との間で通信する通信部５２と、外部装置５０全体を制御する制御部５３と、制御部５３による制御に基づいた画面を表示する表示部５４と、作業者による入力操作を受け付ける入力部５５とを備える。電源部５１から出力される電源電圧Ｖｃ２は、通信部５２、制御部５３および表示部５４へ供給される。
【００２２】
外部装置５０は電子式遮断器１の接続端子部１４に接続することができる。外部装置５０の接続端子部１４への接続によって、電源部５１の電源電圧Ｖｃ２が接続端子部１４を介して電子式遮断器１の電源部７に供給され、通信部５２が接続端子部１４を介して電子式遮断器１の通信部１０に通信可能に接続される。
【００２３】
電子式遮断器１の説明に戻る。表示部１１は、電子ペーパーなどのように電力が供給されない状態で表示状態を維持可能な表示素子を有する。表示部１１は、電源部７から電源電圧Ｖｃ１が供給されている状態で、制御部２０から出力される情報に基づいて、表示画面の書き換えを行うことができる。また、表示部１１は、電源部７から電源電圧Ｖｃ１の供給が停止している間、表示画面の状態を維持することができる。
【００２４】
したがって、表示部１１は、開閉接点３がオフ状態である場合であっても、表示状態を維持することができる。また、表示部１１は、開閉接点３がオン状態であり、かつ電路２に電流が流れていない場合であっても、表示状態を維持することができる。
【００２５】
記憶部１２には、上述した引き外し特性の設定値が記憶される。記憶部１２は、電力が供給されない状態で記憶している情報を保持可能な不揮発性の記憶部であり、例えば、フラッシュメモリである。
【００２６】
引き外し特性とは、電路２に流れる過電流の大きさと引き外し動作時間との関係で規定される特性である。電子式遮断器１の引き外し特性は、電路２に定格電流Ｉｎを越える電流の大きさが大きくなるにつれて開閉接点３が開離する動作時間が短くなる反限時特性を有する。ここでは、定格電流Ｉｎの１１５％以上で短限時引き外し電流ＩＳ未満の領域を長限時動作領域、短限時引き外し電流ＩＳ以上で瞬時引き外し電流Ｉｉ未満の領域を短限時動作領域、および瞬時引き外し電流Ｉｉ以上の領域を瞬時動作領域と各々定義する。
【００２７】
電子式遮断器１には、上述した定格電流Ｉｎ、短限時引き外し電流ＩＳ、瞬時引き外し電流Ｉｉ、長限時動作時間ＴＬ、および短限時動作時間ＴＳが、引き外し特性を決定する複数のパラメータの値として記憶される。また、電子式遮断器１には、プレアラームピックアップ電流ＩＰもパラメータの値として記憶される。以下、引き外し特性を決定するパラメータの値を特性設定値と記載する場合がある。
【００２８】
定格電流Ｉｎは、電子式遮断器１において電路２に流れる電流の定格値である。短限時引き外し電流ＩＳは、上述した反限時特性を決定する電流値であり、定格電流Ｉｎに対するパーセンテージで表される。瞬時引き外し電流Ｉｉは、瞬時に引き外しを行う電流値であり、定格電流Ｉｎに対するパーセンテージで表される。
【００２９】
短限時動作時間ＴＳは、電路２に流れる電流の値が短限時動作領域である状態が継続する場合に、電路２に流れる電流の値が短限時動作領域になったときから引き外し動作が完了するまでの時間である。長限時動作時間ＴＬは、電路２に流れる電流の値が長限時動作領域である状態が継続する場合に、電路２に流れる電流の値が長限時動作領域になったときから引き外し動作が完了するまでの時間である。
【００３０】
プレアラームピックアップ電流ＩＰは、プレアラーム機能を起動させる電流値であり、定格電流Ｉｎに対するパーセンテージで表される。プレアラーム機能とは、電路２に流れる電流である負荷電流がプレアラームピックアップ電流ＩＰを超えると警報を出力する機能である。プレアラーム機能における警報として、例えば、制御部２０による制御に基づき、電子式遮断器１に設けられた不図示のリレー接点から警報信号が出力される。
【００３１】
図２は、実施の形態１にかかる記憶部に記憶される設定値テーブルの一例を示す図である。図２に示すように、設定値テーブルは、種別情報と特性設定値とを関連付けた情報である。図２に示す種別情報は、引き外し特性に含まれる設定値の種別を示す情報であり、図２に示す特性設定値は、上述した引き外し特性の設定値である。
【００３２】
図２に示す設定値テーブルでは、定格電流Ｉｎが３００Ａに設定され、短限時引き外し電流ＩＳが４００％に設定され、瞬時引き外し電流Ｉｉが１０００％に設定され、長限時動作時間ＴＬが１２秒に設定され、短限時動作時間ＴＳが０．３秒に設定され、プレアラームピックアップ電流ＩＰが８５％に設定されている。なお、設定値テーブルは、図２に示す例に限定されない。また、各特性設定値は、記憶部１２における予め設定されたアドレスに記憶されていてもよい。
【００３３】
図１に戻って制御部２０の説明を続ける。制御部２０は、電流検出部６によって検出された電流の値に基づいて、電路２の過電流を判定する過電流判定部２１と、過電流判定部２１によって電路２の過電流が判定された場合に、引き外し装置４に開閉接点３の開離を実行させる引き外し制御部２２と、記憶部１２に記憶された特性設定値を変更する設定値変更部２３と、記憶部１２に記憶された特性設定値などを表示部１１に表示させる表示制御部２４とを備える。
【００３４】
表示制御部２４は、電源部７から電源電圧Ｖｃ１の供給が開始された場合に、記憶部１２に記憶された特性設定値を読み出し、読み出した特性設定値を含む特性設定値表示画面の情報を生成して表示部１１に特性設定値表示画面を表示させる。表示部１１は、不揮発性表示素子を有していることから、表示制御部２４によって表示部１１に表示された特性設定値表示画面は、表示部１１への電源電圧Ｖｃ１の供給が停止された後も維持される。したがって、電路２に電流が流れていない場合であっても、特性設定値を確認することができ、開閉接点３がオフ状態である場合であっても、特性設定値を確認することができる。
【００３５】
図３は、実施の形態１にかかる特性設定値表示画面の一例を示す図である。図３に示す特性設定値表示画面３１では、定格電流Ｉｎ、短限時引き外し電流ＩＳ、瞬時引き外し電流Ｉｉ、長限時動作時間ＴＬ、短限時動作時間ＴＳ、およびプレアラームピックアップ電流ＩＰを含む複数の特性設定値が示される。
【００３６】
図３に示す例では、各特性設定値は、弧状のアイコンとして表示され、かかるアイコンにおける黒塗り部分と白ぬき部分との境界位置が特性設定値の大きさを示している。かかるアイコンにおける黒塗り部分が多いほど、特性設定値の大きさが大きいことを示すため、回転型の可変抵抗スイッチの回転位置と同様に、特性設定値の把握を容易に行うことができる。
【００３７】
実施の形態１にかかる電子式遮断器１は、外部装置５０から記憶部１２に記憶された特性設定値を更新することができる。上述したように、外部装置５０を電子式遮断器１の接続端子部１４に接続することによって、電源部５１の電源電圧Ｖｃ２が接続端子部１４を介して電子式遮断器１の電源部７に供給される。
【００３８】
開閉接点３がオフ状態である場合、または、開閉接点３がオン状態で且つ電路２に通電されていない場合、変流器５１〜５３の２次側巻線から電源部７へ電流が出力されないが、外部装置５０から電源部７へ電源電圧Ｖｃ２が出力される。そのため、電源部７は、電源電圧Ｖｃ２に基づいて電源電圧Ｖｃ１を生成することができ、かかる電源電圧Ｖｃ１に基づいて、通信部１０、表示部１１、記憶部１２、および制御部２０を動作させることができる。
【００３９】
また、電源部７は、電源電圧Ｖｃ１の大きさが基準値Ｖｓと一致するように、電源電圧Ｖｃ１を生成する。電源部７は、電路２に電流が流れており、かつ、外部装置５０から電源電圧Ｖｃ２が供給されている場合、電路２に電流を用いて生成される電圧と、電源電圧Ｖｃ２のうち、電圧値が高い方の電圧を用いて電源電圧Ｖｃ１を生成することができる。また、電源部７は、電路２に流れる電流を用いて大きさが基準値Ｖｓと一致する電源電圧Ｖｃ１を生成できない場合に、外部装置５０から供給される電源電圧Ｖｃ２を用いて電源電圧Ｖｃ１を生成する構成であってもよい。
【００４０】
表示制御部２４は、外部装置５０が電子式遮断器１に接続されると、特性設定値変更画面の情報を表示部１１に出力し、特性設定値変更画面を表示部１１に表示させることができる。図４は、実施の形態１にかかる特性設定値変更画面の一例を示す図である。
【００４１】
図４に示す特性設定値変更画面３２では、定格電流Ｉｎ、短限時引き外し電流ＩＳ、瞬時引き外し電流Ｉｉ、長限時動作時間ＴＬ、短限時動作時間ＴＳ、およびプレアラームピックアップ電流ＩＰの各々の変更値を入力するための入力ボックス３３〜３８と、入力ボックス３３〜３８に入力された変更値で得られる動作特性曲線を確認するための確認ボタン３９が表示される。
【００４２】
作業者は、外部装置５０の入力部５５への入力操作によって、入力ボックス３３〜３８へ特性設定値の変更値を入力することで、設定値変更部２３は、入力ボックス３３〜３８に特性設定値の変更値を表示部１１に表示させる。
【００４３】
作業者が外部装置５０の入力部５５への入力操作によって、確認ボタン３９を選択すると、設定値変更部２３は、入力ボックス３３〜３８へ入力された特性設定値の変更値を表示制御部２４へ通知する。表示制御部２４は、設定値変更部２３から通知された特性設定値の変更値に基づいて、変更後の特性設定値の動作特性曲線を含む更新確認画面の情報を生成する。そして、設定値変更部２３は、表示部１１に更新確認画面を表示させる。
【００４４】
図５は、実施の形態１にかかる更新確認画面の一例を示す図である。図５に示す更新確認画面４１では、グラフ４２、決定ボタン４３、および取消ボタン４４が表示される。グラフ４２は、現在の動作特性曲線と、変更後の特性設定値の動作特性曲線とを含む。グラフ４２の縦軸は、引き外し動作時間を示し、グラフ４２の横軸は、電路２に流れる過電流の大きさを示す。かかるグラフ４２によって、作業者は変更前後の引き外し特性を容易に把握することができる。
【００４５】
作業者が決定ボタン４３を操作すると、外部装置５０から決定ボタン４３の操作を示す更新確定情報が設定値変更部２３に通知される。設定値変更部２３は、更新確定情報が通知されると、入力ボックス３３〜３８に入力された特性設定値の変更値を記憶部１２に記憶して、記憶部１２に記憶された特性設定値を更新する。
【００４６】
設定値変更部２３によって記憶部１２に記憶された特性設定値が更新されると、表示制御部２４は、更新後の特性設定値を含む特性設定値表示画面の情報を生成して表示部１１に特性設定値表示画面を表示する。図６は、実施の形態１にかかる更新後の特性設定値表示画面の一例を示す図である。図６に示す特性設定値表示画面４５では、図３に示す特性設定値表示画面３１の状態から、プレアラームピックアップ電流ＩＰ以外の設定値が変更された様子が示されている。
【００４７】
また、作業者が取消ボタン４４を操作すると、外部装置５０から取消ボタン４４の操作を示す取消情報が設定値変更部２３に通知される。設定値変更部２３は、取消情報が通知されると、保持している特性設定値の変更値を削除し、表示制御部２４に対して特性設定値変更画面を表示部１１に表示させるように要求する。表示制御部２４は、設定値変更部２３の要求に基づいて、特性設定値変更画面を表示部１１に表示させる。
【００４８】
なお、設定値変更部２３は、保持している特性設定値の変更値を削除せずに、表示制御部２４に対して保持している特性設定値の変更値を含む特性設定値変更画面を表示部１１に表示させるように要求することもできる。これにより、作業者は、前回入力した変更値の状態から特性設定値の変更作業を進めることができる。
【００４９】
つづいて、制御部２０の動作を、フローチャートを用いて説明する。図７は、実施の形態１にかかる制御部２０の処理の一例を示すフローチャートである。
【００５０】
図７に示すように、制御部２０は、特性設定値の表示更新タイミングであるか否かを判定する（ステップＳ１０）。特性設定値の表示更新タイミングは、例えば、電源部７から電源電圧Ｖｃ１の供給が開始されて制御部２０が動作を開始したタイミング、および、記憶部１２に記憶された特性設定値が更新されたタイミングである。
【００５１】
制御部２０は、特性設定値の表示更新タイミングであると判定した場合（ステップＳ１０：Ｙｅｓ）、表示部１１の表示画面として特性設定値表示画面を設定する（ステップＳ１１）。ステップＳ１１において、制御部２０は、記憶部１２に記憶された特性設定値を読み出し、読み出した特性設定値に基づき、表示部１１の表示画面を特性設定値表示画面に書き換えることで、表示部１１の表示画面として特性設定値表示画面を設定する。なお、制御部２０は、表示部１１の表示画面が特性設定値表示画面である場合であっても、読み出した特性設定値に基づく特性設定値表示画面の情報を表示部１１に出力することで、表示部１１の表示画面を上書きする。
【００５２】
ステップＳ１１の処理が終了した場合、または、特性設定値の表示更新タイミングでないと判定した場合（ステップＳ１０：Ｎｏ）、制御部２０は、外部装置５０が接続されているか否かを判定する（ステップＳ１２）。かかるステップＳ１２において、制御部２０は、外部装置５０と通信部１０を介して通信可能になった場合に、外部装置５０が接続されていると判定する。
【００５３】
制御部２０は、外部装置５０が接続されていると判定した場合（ステップＳ１２：Ｙｅｓ）、特性設定値の更新処理を行う（ステップＳ１３）。ステップＳ１３における特性設定値の更新処理は、外部装置５０から送信される情報に基づいて、制御部２０が記憶部１２に記憶された特性設定値を更新する処理であり、図８に示すステップＳ２０〜Ｓ２３の処理である。
【００５４】
ステップＳ１３の処理が終了した場合、または、外部装置５０が接続されていないと判定した場合（ステップＳ１２：Ｎｏ）、制御部２０は、電路２に過電流があるか否かを判定する（ステップＳ１４）。制御部２０は、過電流があると判定した場合（ステップＳ１４：Ｙｅｓ）、引き外し処理を行う（ステップＳ１５）。ステップＳ１５における引き外し処理は、記憶部１２に記憶された特性設定値に基づいて、引き外し装置４を制御することによって行われる。
【００５５】
例えば、制御部２０は、記憶部１２に記憶された設定値テーブルが図２に示す状態である場合、定格電流Ｉｎの４００％の過電流が電路２に０．３秒以上流れた場合、引き外し装置４に開閉接点３の開離を実行させる。これにより、記憶部１２に記憶された特性設定値に基づいて、引き外し装置４が制御される。
【００５６】
ステップＳ１５の処理を終了した場合、または、過電流がないと判定した場合（ステップＳ１４：Ｎｏ）、制御部２０は、図７に示す処理を終了する。なお、制御部２０は、図７に示す処理を繰り返し実行する。また、制御部２０は、ステップＳ１０，Ｓ１１の処理、ステップＳ１２，Ｓ１３の処理、およびステップＳ１４，Ｓ１５の処理を並列に実行することもできる。
【００５７】
図８は、ステップＳ１３における特性設定値の更新処理の一例を示すフローチャートである。図８に示すように、制御部２０は、表示部１１の表示画面として特性設定値変更画面を設定する（ステップＳ２０）。制御部２０は、表示部１１の表示画面を特性設定値変更画面に書き換えることで、表示部１１の表示画面として特性設定値表示画面を設定する。その後、制御部２０は、特性設定値の変更値の入力を受け付ける処理を行う（ステップＳ２１）。
【００５８】
制御部２０は、特性設定値の変更値が確定されたか否かを判定する（ステップＳ２２）。かかるステップＳ２２において、制御部２０は、決定ボタン４３が操作された場合に、変更値が確定されたと判定し、取消ボタン４４が操作された場合に、変更値が確定されていないと判定する。制御部２０は、変更値が確定されていないと判定すると（ステップＳ２２：Ｎｏ）、処理をステップＳ２０に戻す。
【００５９】
制御部２０は、変更値が確定されたと判定した場合（ステップＳ２２：Ｙｅｓ）、特性設定値の変更値を記憶部１２に記憶して、記憶部１２に記憶された特性設定値を更新し（ステップＳ２３）、図８に示す処理を終了する。
【００６０】
図９は、実施の形態１にかかる電子式遮断器１の通信部１０、表示部１１、記憶部１２および制御部２０についてのハードウェア構成の一例を示す図である。図９に示すように、電子式遮断器１は、プロセッサ１０１と、メモリ１０２と、ディスプレイ１０３と、インタフェース回路１０４とを備えるコンピュータである。プロセッサ１０１、メモリ１０２、ディスプレイ１０３、およびインタフェース回路１０４は、バス１０５によって互いにデータの送受信が可能である。通信部１０は、インタフェース回路１０４によって実現され、表示部１１は、ディスプレイ１０３によって実現され、記憶部１２は、メモリ１０２によって実現される。
【００６１】
プロセッサ１０１は、メモリ１０２に記憶されたＯＳおよび処理プログラムを読み出して実行することによって、過電流判定部２１、引き外し制御部２２、設定値変更部２３、および表示制御部２４の機能を実行する。なお、プロセッサ１０１は、磁気ディスク、ＵＳＢ（Universal  Serial  Bus）メモリ、光ディスク、コンパクトディスク、およびＤＶＤ（Digital  Versatile  Disc）のうち一つ以上の記憶媒体から不図示のインタフェースを介してＯＳおよび処理プログラムを読み出してメモリ１０２に記憶して実行することもできる。光ディスク、コンパクトディスク、およびＤＶＤは、コンピュータが読み取り可能なプログラムが記録された記録媒体である。
【００６２】
プロセッサ１０１は、処理回路の一例であり、ＣＰＵ、ＤＳＰ（Digital  Signal  Processer）、およびシステムＬＳＩ（Large  Scale  Integration）のうち一つ以上を含む。メモリ１０２は、プロセッサ１０１の作業領域として用いられる記憶領域であり、ＲＡＭ（Random  Access  Memory）に代表される不揮発性または揮発性の半導体メモリである。
【００６３】
以上のように、実施の形態１にかかる電子式遮断器１は、電路２を開閉する開閉接点３と、電路２に流れる電流を検出する電流検出部６と、開閉接点３を開離させる引き外し装置４と、特性設定値を外部装置５０から受信する通信部１０と、特性設定値を表示可能な表示部１１と、電流検出部６による検出電流および特性設定値に基づき、引き外し装置４を制御すると共に、表示部１１に特性設定値を表示する制御部２０とを備える。これにより、引き外し特性を設定および表示するための設定部を配置するスペースを電子式遮断器１に設ける必要がない。また、電子式遮断器１に配置された表示部１１に特性設定値が表示されることから、外部装置５０が接続されていない状態でも特性設定値を確認することができる。
【００６４】
また、電子式遮断器１は、電路２に流れる電流を用いて、表示部１１、通信部１０および制御部２０を駆動させる電源電圧Ｖｃ１を生成する電源部７を備える。また、表示部１１は、電源部７から電源電圧Ｖｃ１が供給されない状態、すなわち電力が供給されない状態で表示状態を維持可能である。したがって、電路２に電流が流れておらず、表示部１１を駆動するために必要な電力が供給されていない場合であっても、表示部１１で特性設定値を表示した状態を維持することができる。
【００６５】
また、電源部７は、電路２に電流が流れていない状態で、外部装置から供給される電圧に基づいて、電源電圧を生成する外部装置５０から供給される電源電圧Ｖｃ２に基づいて電源電圧Ｖｃ１を生成する。これにより、電路２が通電状態であるか否かに関わらず特性設定値を外部装置５０から受信して表示部１１に表示したり、特性設定値を更新したりすることができる。
【００６６】
実施の形態２．
実施の形態２では、電子式遮断器の電源部から出力される電源電圧が小さくなった場合に、表示画面を変更して特性設定値の更新処理を停止する点で、実施の形態１と異なる。以下においては、実施の形態１と同様の機能を有する構成要素については同一符号を付して説明を省略し、実施の形態１の電子式遮断器１と異なる点を中心に説明する。
【００６７】
図１０は、実施の形態２にかかる電子式遮断器の構成例を示す図である。図１０に示すように、実施の形態２にかかる電子式遮断器１Ａは、電源部７および制御部２０Ａに換えて、電源部７Ａ、電圧検出部１７および制御部２０Ａを備える点で、電子式遮断器１と異なる。
【００６８】
電源部７Ａは、電源電圧Ｖｃ１を生成する電圧生成部１５と、電圧生成部１５から出力される電源電圧Ｖｃ１に基づいて、電力を蓄積する蓄電部１６とを備える。電圧生成部１５は、電源部７と同様の構成である。蓄電部１６は、例えば、電圧生成部１５からの電源電圧Ｖｃ１が印加されるコンデンサを備えており、かかるコンデンサに電力が蓄積される。
【００６９】
開閉接点３がオフ状態で外部装置５０が電子式遮断器１Ａに接続された場合、外部装置５０の電源部５１の電力が電源部７Ａに供給されて蓄電部１６の電圧が上昇していく。そのため、電源部７Ａから出力される電源電圧Ｖｃ１が上昇していき、通信部１０および制御部２０Ａが動作可能な状態になり、制御部２０Ａと外部装置５０との通信が通信部１０を介して開始される。
【００７０】
蓄電部１６のコンデンサの静電容量は、開閉接点３がオフ状態で外部装置５０が電子式遮断器１Ａから取り外された場合に蓄電部１６から出力される電源電圧Ｖｃ１が閾値Ｖｔｈ１以下になってから閾値Ｖｔｈ２未満になるまでの時間が設定時間Ｔａ以上になる値に設定されている。設定時間Ｔａは、例えば、数ｍｓ〜数十ｍｓである。また、閾値Ｖｔｈ１は、基準値Ｖｓよりも小さく、閾値Ｖｔｈ２よりも大きい値である。
【００７１】
なお、電源部７Ａは、図１０に示す構成に限定されない。例えば、電圧生成部１５が、変流器５１〜５３の２次側巻線から各々出力される電流を整流し合成してコンデンサに充電し、コンデンサの電圧を降圧または昇圧する構成である場合、電圧生成部１５のコンデンサを蓄電部１６とすることができる。この場合、蓄電部１６として機能する電圧生成部１５のコンデンサの静電容量は、開閉接点３がオフ状態で外部装置５０が電子式遮断器１Ａから取り外された場合に蓄電部１６から出力される電源電圧Ｖｃ１が閾値Ｖｔｈ１以下になったタイミングから閾値Ｖｔｈ２未満になるタイミングまでの時間が設定時間Ｔａ以上になる値に設定される。このように、電源部７Ａは、電圧生成部１５に蓄電部１６を設ける構成であってもよい。
【００７２】
電圧検出部１７は、電源部７Ａから出力される電源電圧Ｖｃ１を検出する。電圧検出部１７によって検出される電源電圧Ｖｃ１は、電源電圧Ｖｃ１の瞬時値または平均値である。
【００７３】
制御部２０Ａは、過電流判定部２１と、引き外し制御部２２と、設定値変更部２３Ａと、表示制御部２４Ａとを備える。設定値変更部２３Ａは、電源電圧Ｖｃ１が閾値Ｖｔｈ１以下である場合には、特性設定値の変更処理を行わず、また、特性設定値の変更処理を実行中に、電源電圧Ｖｃ１が閾値Ｖｔｈ１よりも大きい状態から閾値Ｖｔｈ１以下になった場合、特性設定値の変更処理を中止する。
【００７４】
表示制御部２４Ａは、電源電圧Ｖｃ１が閾値Ｖｔｈ１よりも大きい状態から閾値Ｖｔｈ１以下になった場合、記憶部１２に記憶された特性設定値を読み出し、読み出した特性設定値を含む特性設定値表示画面の情報を生成して表示部１１に特性設定値表示画面を表示する。
【００７５】
電子式遮断器１Ａにおける開閉接点３がオン状態である場合、電路２に負荷電流が流れているため、変流器５の２次側から負荷電流に正比例する電流が電源部７Ａへ供給される。そのため、電源部７Ａは、閾値Ｖｔｈ１よりも大きい電源電圧Ｖｃ１を生成することができる。閾値Ｖｔｈ１よりも大きい電源電圧Ｖｃ１が通信部１０、表示部１１、記憶部１２、および制御部２０Ａに供給されている状態では、特性設定値の変更処理が可能である。
【００７６】
表示制御部２４Ａは、通信部１０を介して入力される外部装置５０からの要求に基づいて、表示部１１の表示画面を種別が異なる表示画面へと書き換えることができる。表示画面の種別には、上述した特性設定値表示画面、特性設定値変更画面、および更新確認画面の他、１以上の電路状態表示画面が含まれる。
【００７７】
電路状態表示画面は、電路２に流れる電流である負荷電流の測定値、電路２の電圧の測定値、および電路２を介して負荷で消費される電力である消費電力の測定値の少なくとも一つが含まれる。なお、電子式遮断器１Ａは、電路２の電圧を検出する不図示の電圧検出部を備えており、制御部２０Ａは、不図示の電圧検出部から電路２の電圧の測定値を得ることができ、電流検出部６から電路２に流れる負荷電流の測定値を得ることができる。また、制御部２０Ａは、電圧の測定値と電流の測定値とから消費電力の測定値を得ることができる。
【００７８】
特性設定値表示画面と電路状態表示画面との切り替え、または、電路状態表示画面間の切り替えを行うための操作部として、電子式遮断器１Ａに不図示の切り替えボタンを設けることができる。制御部２０Ａは、作業者が切り替えボタンを操作したことを検出した場合に、上述した切り替えを行うことができる。また、制御部２０Ａは、外部装置５０からの要求に基づいて、上述した切り替えを行うことができる。
【００７９】
電路２に流れる電流である負荷電流が低下することによって電源部７Ａへの電流供給が低下した場合、電源電圧Ｖｃ１が低下し、電源電圧Ｖｃ１が閾値Ｖｔｈ１以下になる場合がある。この場合、表示制御部２４Ａは、電源電圧Ｖｃ１が閾値Ｖｔｈ２未満になるまでの間に、表示部１１の表示画面を特性設定値表示画面に書き換える。これにより、例えば、表示部１１の表示画面が特性設定値表示画面以外の状態で維持されることを防止することができる。
【００８０】
表示制御部２４Ａおよび表示部１１は、電源電圧Ｖｃ１が閾値Ｖｔｈ２以上である場合に、動作可能であり、蓄電部１６は、電源電圧Ｖｃ１が閾値Ｖｔｈ１以下になってから閾値Ｖｔｈ２未満になるまでの電力を保持している。そのため、負荷電流が急激に低下した場合、蓄電部１６がないと、電源電圧Ｖｃ１が閾値Ｖｔｈ２未満に急激に低下することになる。これに対し、実施の形態２の電源部７Ａでは、負荷電流が急激に低下した場合であっても、電源電圧Ｖｃ１が閾値Ｖｔｈ１以下になったタイミングから設定時間Ｔａ以上は電源電圧Ｖｃ１が閾値Ｖｔｈ２以上になる。これにより、負荷電流の低下の度合いに関わらず、表示制御部２４Ａは、表示部１１の表示画面を特性設定値表示画面に書き換えることができる。
【００８１】
また、電子式遮断器１Ａにおける開閉接点３がオフ状態である場合であっても、外部装置５０を接続している場合には、外部装置５０から電源部７Ａへ電源電圧Ｖｃ２が供給されるため、電源部７Ａから継続的に電源電圧Ｖｃ１が出力される。
【００８２】
ところが、特性設定値を変更途中に外部装置５０の電源部５１と電子式遮断器１Ａとの接続が切断されたり、外部装置５０の電源部５１と接続端子部１４との接触不良によって、外部装置５０の電源部５１と電子式遮断器１Ａとの接続が断続的に切断されたりする場合がある。この場合、電源部７Ａに電源電圧Ｖｃ２が供給されない期間が生じるため、電源電圧Ｖｃ１が低下する。
【００８３】
このような場合であっても、上述したように、表示制御部２４Ａは、電源電圧Ｖｃ１が閾値Ｖｔｈ２未満になるまでの間に、表示部１１の表示画面を特性設定値表示画面に書き換える。これにより、表示部１１の表示画面が特性設定値表示画面以外の状態で維持されることを防止することができる。
【００８４】
つづいて、制御部２０Ａの動作を、フローチャートを用いて説明する。なお、以下においては、制御部２０Ａの動作のうち制御部２０の動作と異なる動作を中心に説明する。図１１は、実施の形態２にかかる制御部の特性設定値の更新処理の一例を示すフローチャートである。
【００８５】
図１１に示すように、制御部２０Ａは、電源電圧Ｖｃ１が閾値Ｖｔｈ１よりも大きいか否かを判定する（ステップＳ３１）。制御部２０Ａは、電源電圧Ｖｃ１が閾値Ｖｔｈ１よりも大きいと判定した場合（ステップＳ３１：Ｙｅｓ）、処理をステップＳ３２へ移行する。ステップＳ３２〜Ｓ３５の処理は、図８に示すステップＳ２０〜Ｓ２３の処理と同様である。
【００８６】
制御部２０Ａは、電源電圧Ｖｃ１が閾値Ｖｔｈ１よりも大きくないと判定した場合（ステップＳ３１：Ｎｏ）、または、ステップＳ３５の処理が終了した場合、図１１に示す処理を終了する。
【００８７】
このように、制御部２０Ａは、電源電圧Ｖｃ１が閾値Ｖｔｈ１以下の状態では、表示部１１の表示画面は変更せず、電源電圧Ｖｃ１が閾値Ｖｔｈ１よりも大きくなってから、表示部１１の表示画面を変更する。したがって、電源電圧Ｖｃ１が安定している状態で、表示部１１の表示画面を変更することができる。
【００８８】
また、制御部２０Ａは、ステップＳ３２〜Ｓ３５の処理の途中で、電源電圧Ｖｃ１が閾値Ｖｔｈ１以下になった場合、図１１に示す処理を中止する。これによって、電源電圧Ｖｃ１の低下による誤動作で特性設定値が誤った値に設定されることを防止することができる。
【００８９】
図１２は、実施の形態２にかかる制御部における電源電圧の低下時の処理の一例を示すフローチャートであり、制御部２０Ａによって繰り返し実行される処理である。図１２に示すように、制御部２０Ａは、電源電圧Ｖｃ１が閾値Ｖｔｈ１以下になったか否かを判定する（ステップＳ４１）。
【００９０】
制御部２０Ａは、電源電圧Ｖｃ１が閾値Ｖｔｈ１以下になったと判定した場合（ステップＳ４１：Ｙｅｓ）、表示部１１の表示画面としてエラー画面に設定する（ステップＳ４２）。ステップＳ４２において、制御部２０Ａは、表示部１１の表示画面をエラー画面に書き換えることで、表示部１１の表示画面としてエラー画面を設定する。図１３は、エラー画面の一例を示す図である。図１３に示すエラー画面４６では、電源異常を示す文言と、処理を中止する旨の文言とが表示される。
【００９１】
制御部２０Ａは、表示画面をエラー画面に設定した後、電源電圧Ｖｃ１が閾値Ｖｔｈ１以下になってから設定時間Ｔａになるまでに、表示画面として特性設定値表示画面を設定する（ステップＳ４３）。ステップＳ４３において、制御部２０Ａは、ステップＳ１１の処理と同様に、記憶部１２から読み出した特性設定値に基づき、表示部１１の表示画面を特性設定値表示画面に書き換えることによって、表示画面を特性設定値表示画面に設定する。
【００９２】
制御部２０Ａは、電源電圧Ｖｃ１が閾値Ｖｔｈ１以下になっていないと判定した場合（ステップＳ４１：Ｎｏ）、または、ステップＳ４３の処理が終了した場合、図１２に示す処理を終了する。
【００９３】
このように、制御部２０Ａは、電源電圧Ｖｃ１が閾値Ｖｔｈ１以下になった場合に、記憶部１２に記憶された特性設定値を表示する特性設定値表示画面に表示部１１の表示画面を書き換える。したがって、作業者が特性設定値の更新処理を行っている最中に、電源電圧Ｖｃ１が低下した場合において特性設定値と表示部１１に表示される値を一致させることができる。
【００９４】
また、制御部２０Ａは、作業者が特性設定値の更新処理の際に入力した特性設定値の変更値を記憶部１２に記憶する場合、更新処理が確定するまでは、現在の適用されている特性設定値を削除せずに、特性設定値の変更値を記憶する。制御部２０Ａは、作業者が特性設定値の更新処理を確定した場合、現在の適用されている特性設定値を記憶部１２から削除し、記憶部１２に記憶されている特性設定値の変更値を更新後の特性設定値として用いることができる。
【００９５】
そして、制御部２０Ａは、作業者が特性設定値の更新処理が確定するまでに、電源電圧Ｖｃ１が閾値Ｖｔｈ１以下になった場合、特性設定値の変更値ではなく現在の適用されている特性設定値を記憶部１２から読み出す。制御部２０Ａは、読み出した特性設定値を表示する特性設定値表示画面に表示部１１の表示画面を書き換えることができる。
【００９６】
なお、制御部２０Ａは、作業者が特性設定値の更新処理が確定するまでに、電源電圧Ｖｃ１が閾値Ｖｔｈ１以下になった場合、記憶部１２に記憶されている特性設定値の変更値を削除しない。そして、作業者が改めて特性設定値の更新処理を行う場合に、記憶部１２に記憶されている特性設定値の変更値を含む特性設定値変更画面を表示部１１に表示させることができる。これにより、特性設定値の更新処理における作業者の負荷を軽減することができる。なお、制御部２０Ａは、作業者が特性設定値の更新処理が確定するまでに、電源電圧Ｖｃ１が閾値Ｖｔｈ１以下になった場合、記憶部１２に記憶されている特性設定値の変更値を削除することもできる。
【００９７】
なお、実施の形態２にかかる電子式遮断器１Ａの通信部１０、表示部１１、記憶部１２および制御部２０Ａについてのハードウェア構成例は、図９に示すハードウェア構成例と同じである。プロセッサ１０１は、記憶部１２として機能するメモリ１０２に記憶されたプログラムを読み出して実行することによって、過電流判定部２１、引き外し制御部２２、設定値変更部２３Ａ、および表示制御部２４Ａの機能を実行することができる。
【００９８】
以上のように、実施の形態２にかかる電子式遮断器１Ａの電源部７Ａは、電路２に流れる電流または外部装置５０から供給される電源電圧Ｖｃ２に基づいて電力を蓄積する蓄電部１６を備え、電路２に流れる電流または外部装置５０から供給される電源電圧Ｖｃ２が低下した場合に、蓄電部１６に蓄積された電力に基づいて、電源電圧Ｖｃ１を出力する。制御部２０Ａは、電源電圧Ｖｃ１が閾値Ｖｔｈ１以下になったか否かを判定し、電源電圧Ｖｃ１が閾値Ｖｔｈ１以下になったと判定した場合に表示部１１に特性設定値を表示する処理を行う。これにより、例えば、負荷電流が低下している状態である場合、または開閉接点３がオフ状態かつ外部装置５０が接続されていない場合において、表示部１１の表示画面が特性設定値表示画面以外の状態で維持されることを防止することができる。
【００９９】
実施の形態３．
実施の形態３は、電子式遮断器の投入状態に基づいて特性設定値の変更を許可する点で、実施の形態２と異なる。以下においては、実施の形態２と同様の機能を有する構成要素については同一符号を付して説明を省略し、実施の形態２の電子式遮断器１Ａと異なる点を中心に説明する。
【０１００】
図１４は、実施の形態３にかかる電子式遮断器の構成例を示す図である。図１４に示すように、実施の形態３にかかる電子式遮断器１Ｂは、制御部２０Ａに換えて、投入状態検出部１８および制御部２０Ｂを備える点で、電子式遮断器１Ａと異なる。
【０１０１】
投入状態検出部１８は、電子式遮断器１Ｂの投入状態を検出し、制御部２０Ｂに通知する。電子式遮断器１Ｂの投入状態には、オン状態、オフ状態、およびトリップ状態が含まれる。電子式遮断器１Ｂのオン状態は、開閉接点３がオン状態であることを意味する。また、電子式遮断器１Ｂのオフ状態は、電子式遮断器１Ｂの不図示の手動レバーによって開閉接点３がオフ状態にされていることを意味する。電子式遮断器１Ｂのトリップ状態は、引き外し装置４によって開閉接点３がオフ状態にされていることを意味する。
【０１０２】
制御部２０Ｂは、過電流判定部２１と、引き外し制御部２２と、設定値変更部２３Ｂと、表示制御部２４Ａとを備える。設定値変更部２３Ｂは、電子式遮断器１Ｂの投入状態がオン状態である場合に、特性設定値の変更処理を実行し、電子式遮断器１Ｂの投入状態がオフ状態またはトリップ状態である場合には、特性設定値の変更処理を行わない。これにより、電路２に通電中に作業者が特性設定値を変更することができないため、不要動作の発生を防止することができる。
【０１０３】
つづいて、制御部２０Ｂの動作を、フローチャートを用いて説明する。なお、以下においては、制御部２０Ｂの動作のうち制御部２０Ａの動作と異なる動作を中心に説明する。図１５は、実施の形態３にかかる制御部の特性設定値の更新処理の一例を示すフローチャートである。
【０１０４】
図１５に示すように、制御部２０Ｂは、電源電圧Ｖｃ１が閾値Ｖｔｈ１よりも大きいか否かを判定する（ステップＳ５１）。制御部２０Ｂは、電源電圧Ｖｃ１が閾値Ｖｔｈ１よりも大きいと判定した場合（ステップＳ５１：Ｙｅｓ）、電子式遮断器１Ｂの投入状態がオン状態であるか否かを判定する（ステップＳ５２）。
【０１０５】
制御部２０Ｂは、電子式遮断器１Ｂの投入状態がオン状態であると判定した場合（ステップＳ５２：Ｙｅｓ）、表示部１１の表示画面を警告画面に書き換えて、表示部１１に警告画面を表示することで、表示部１１の表示画面として警告画面を設定する（ステップＳ５３）。ステップＳ５３において、制御部２０Ｂは、表示部１１の表示画面を警告画面に書き換えることで、表示部１１の表示画面として警告画面を設定する。図１６は、警告画面の一例を示す図である。図１６に示す警告画面４７には、特性設定値の変更不可を示す情報が含まれる。
【０１０６】
制御部２０Ｂは、表示画面として警告画面を設定した後、表示画面として特性設定値表示画面を設定する（ステップＳ５４）。ステップＳ５４において、制御部２０Ｂは、ステップＳ４３の処理と同様に、記憶部１２から読み出した特性設定値に基づき、表示部１１の表示画面を特性設定値表示画面に書き換えることによって、表示画面を特性設定値表示画面に設定する。
【０１０７】
制御部２０Ｂは、電子式遮断器１Ｂの投入状態がオン状態でないと判定した場合（ステップＳ５２：Ｎｏ）、処理をステップＳ５５へ移行する。ステップＳ５５〜Ｓ５８の処理は、図８に示すステップＳ２０〜Ｓ２３の処理と同様である。制御部２０Ｂは、電源電圧Ｖｃ１が閾値Ｖｔｈ１よりも大きくないと判定した場合（ステップＳ５１：Ｎｏ）、または、ステップＳ５８の処理が終了した場合、図１５に示す処理を終了する。
【０１０８】
このように、制御部２０Ｂは、電子式遮断器１Ｂの投入状態がオン状態である場合に、特性設定値の変更処理を防止することができる。そのため、電子式遮断器１Ｂの投入状態がオン状態である場合に、特性設定値の変更によって電子式遮断器１Ｂで必要とされない引き外し動作が行われることを回避することができる。
【０１０９】
なお、制御部２０Ｂは、電子式遮断器１Ｂの投入状態がオン状態である場合に、特性設定値を小さくすることを不可とし、特性設定値を大きくすることは許可する構成であってもよい。
【０１１０】
また、実施の形態３にかかる電子式遮断器１Ｂの通信部１０、表示部１１、記憶部１２および制御部２０Ｂについてのハードウェア構成例は、図９に示すハードウェア構成例と同じである。プロセッサ１０１は、記憶部１２として機能するメモリ１０２に記憶されたプログラムを読み出して実行することによって、過電流判定部２１、引き外し制御部２２、設定値変更部２３Ｂ、および表示制御部２４Ａの機能を実行することができる。
【０１１１】
以上のように、実施の形態３にかかる電子式遮断器１Ｂの制御部２０Ｂは、開閉接点３が開離状態であるか否かを判定し、開閉接点３が開離状態であると判定した場合に、外部装置５０からの特性設定値の変更を許可する。これにより、電路２に通電中に作業者が特性設定値を変更することができないため、電子式遮断器１Ｂにおいて不要な引き外し動作の発生を防止することができる。
【０１１２】
また、制御部２０Ｂは、開閉接点３が開離状態ではないと判定した場合に、特性設定値の変更不可を示す情報を表示部１１に表示させる。これにより、作業者は、電子式遮断器１Ｂが特性設定値の設定ができない状態であることを容易に把握することができる。
【０１１３】
なお、制御部２０Ｂは、電源電圧Ｖｃ１が閾値Ｖｔｈ１以下になったと判定した場合に表示部１１に表示させる特性設定値表示画面に、特性設定値の設定が可能な旨を示す情報を付加することができる。図１７は、実施の形態３にかかる特性設定値表示画面の一例を示す図である。図１７に示す特性設定値表示画面４８では、特性設定値の設定が可能な旨を示す情報が付加されている。
【０１１４】
また、制御部２０Ｂは、図１７に示す特性設定値表示画面４８を表示部１１に表示させている状態で、電源電圧Ｖｃ１が閾値Ｖｔｈ１以下の状態から閾値Ｖｔｈ１よりも大きくなった場合、表示部１１に表示させる特性設定値表示画面に、特性設定値の設定ができない旨を示す情報を付加することができる。図１８は、実施の形態３にかかる特性設定値表示画面の他の例を示す図である。図１８に示す特性設定値表示画面４９では、特性設定値の設定ができない旨を示す情報が付加されている。
【０１１５】
上述した実施の形態１〜３にかかる電子式遮断器１，１Ａ，１Ｂでは、外部装置５０と有線で接続される例を示したが、電子式遮断器１，１Ａ，１Ｂでは、外部装置５０と無線で接続してもよい。この場合、外部装置５０から電子式遮断器１，１Ａ，１Ｂへの電力供給は無線電送伝送で行い、外部装置５０から電子式遮断器１，１Ａ，１Ｂへの通信は、無線通信で行われる。
【０１１６】
また、実施の形態１〜３にかかる電子式遮断器１，１Ａ，１Ｂは、外部装置５０から電力が供給されるが、外部装置５０以外の電源装置から電子式遮断器１，１Ａ，１Ｂへ電力を供給することもできる。
【０１１７】
また、特性設定値の表示更新タイミングは、上述したタイミングに限定されない。例えば、閾値Ｖｔｈ１よりも大きい電源電圧Ｖｃ１が電源部７，７Ａから出力されている場合、制御部２０，２０Ａ，２０Ｂは、一定周期で表示更新タイミングを発生させることができる。
【０１１８】
また、制御部２０，２０Ａ，２０Ｂは、表示部１１に表示させる画面と同様の画面を外部装置５０の表示部５４に表示させることができる。この場合、制御部２０，２０Ａ，２０Ｂは、表示部１１に表示させる画面の情報を外部装置５０に通信部１０を介して出力する。外部装置５０の制御部５３は、通信部５２を介して画面の情報を取得し、表示部５４に表示させることができる。
【０１１９】
また、上述した例では、電源部７，７Ａは、電路２に流れる電流を用いて電源電圧Ｖｃ１を生成するが、電路２の電圧に基づいて、電源電圧Ｖｃ１を生成する構成であってもよい。この場合、電源部７，７Ａは、開閉接点３と負荷側接続端子９との間の電圧を用いて電源電圧Ｖｃ１を生成する。
【０１２０】
また、電子式遮断器１，１Ａ，１Ｂにおいて、過電流判定部２１および引き外し制御部２２へ電源電圧を供給する第１の電源部と設定値変更部２３，２３Ａ，２３Ｂおよび表示制御部２４Ａへ電源電圧を供給する第２の電源とを各々設けることもできる。この場合、第２の電源は、外部装置５０からの電圧供給によって電源電圧を生成する構成であってもよい。
【０１２１】
また、上述した例では、制御部２０，２０Ａ，２０Ｂは、電路２に過電流が流れた場合に、過電流についての引き外し特性の設定値に基づいて、引き外し装置４に開閉接点３の開離を実行させるが、漏電を検出した場合に、漏電電流についての引き外し特性の設定値に基づいて、引き外し装置４に開閉接点３の開離を実行させることもできる。この場合、電子式遮断器１，１Ａ，１Ｂの電流検出部６には、電路２の電圧が入力され、電路２の電圧および電路２に流れる電流を用いて、電路２の負荷電流と電路２の漏電電流を検出することができる。また、電子式遮断器１，１Ａ，１Ｂの記憶部１２には、漏電電流についての引き外し特性の設定値が記憶される。そして、制御部２０，２０Ａ，２０Ｂは、電流検出部６によって検出された漏電電流と記憶部に記憶した漏電電流についての引き外し特性の設定値とに基づいて、引き外し装置４に開閉接点３の開離を実行させることができる。制御部２０，２０Ａ，２０Ｂは、過電流についての引き外し特性の設定値と漏電電流についての引き外し特性の設定値と含む特性設定値表示画面を表示部１１に表示することができる。このように、電子式遮断器１，１Ａ，１Ｂは、漏電遮断器としても機能することができる。
【０１２２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１２３】
１，１Ａ，１Ｂ  電子式遮断器、２，２１〜２３  電路、３，３１〜３２  開閉接点、４  引き外し装置、５，５１〜５３  変流器、６  電流検出部、７，７Ａ，５１  電源部、８  電源側接続端子、９  負荷側接続端子、１０，５２  通信部、１１，５４  表示部、１２  記憶部、１４  接続端子部、１５  電圧生成部、１６  蓄電部、１７  電圧検出部、１８  投入状態検出部、２０，２０Ａ，２０Ｂ，５３  制御部、２１  過電流判定部、２２  引き外し制御部、２３，２３Ａ，２３Ｂ  設定値変更部、２４，２４Ａ  表示制御部、５０  外部装置、５５  入力部。
【図１】
2019064453.tif 000003
【図２】
2019064453.tif 000004
【図３】
2019064453.tif 000005
【図４】
2019064453.tif 000006
【図５】
2019064453.tif 000007
【図６】
2019064453.tif 000008
【図７】
2019064453.tif 000009
【図８】
2019064453.tif 000010
【図９】
2019064453.tif 000011
【図１０】
2019064453.tif 000012
【図１１】
2019064453.tif 000013
【図１２】
2019064453.tif 000014
【図１３】
2019064453.tif 000015
【図１４】
2019064453.tif 000016
【図１５】
2019064453.tif 000017
【図１６】
2019064453.tif 000018
【図１７】
2019064453.tif 000019
【図１８】
2019064453.tif 000020
【国際調査報告】
2019064453.tif 000021
2019064453.tif 000022
2019064453.tif 000023
2019064453.tif 000024